(57)【要約】      （修正有）【課題】完成品の外観を美しくすることができるだけでなく、組立工数を節約することができるディスプレイのフレーム装置を提供する。【解決手段】ディスプレイは、表示パネルを有し、フレーム装置は、表示パネルの後方に位置し、表示パネルを支持し、フレームユニット、複数の結合ユニット３およびハウジングユニット４を含む。フレームユニットは、プレート本体２１と、プレート本体を貫通する複数の貫通孔２２とを含み、各結合ユニットは、対応する貫通孔を貫通してプレート本体上に位置決めされる。ハウジングユニットは、筐体４１と、筐体に離間して設けられ、プレート本体に向かう方向に延びる複数の接合部材４２とを含む。各結合ユニットは、筐体に向けて開口した係止空間３１０を有し、各接合部材は、対応する結合ユニットの開口から係止空間内に延出し、対応する結合ユニットと互いに干渉し、筐体をプレート本体に固定させる。【選択図】図２
0003226865.tif 000002
【実用新案登録請求の範囲】
【請求項１】
表示パネルを有するディスプレイのフレーム装置であって、前記フレーム装置は、前記表示パネルの後方に位置し、前記表示パネルを支持しており、
前記フレーム装置は、
プレート本体、及び前記プレート本体を貫通する複数の貫通孔を含むフレームユニットと、
対応する貫通孔を通過して前記プレート本体上に位置決めされる複数の結合ユニットと、
筐体、及び前記筐体に離間して設けられ、前記プレート本体へ向かう方向に延びる複数の接合部材を含むハウジングユニットと、を備え、
各結合ユニットは、前記筐体に向けて開口した係止空間を有し、各接合部材は、対応する結合ユニットの開口から前記係止空間内に延出され、対応する結合ユニットと互いに干渉することで、前記筐体を前記プレート本体に固定させる、
ことを特徴とするディスプレイのフレーム装置。
【請求項２】
各結合ユニットは、穿孔部材と、前記穿孔部材の端部から外側に延在する頂部当接部材とを含み、前記フレームユニットの前記プレート本体は、前記表示パネルに面する第１の面と、前記第１の面に対向する第２の面とを有し、前記貫通孔は、前記第１の面と前記第２の面とを貫通しており、各結合ユニットの穿孔部材は、第１の面から対応する貫通孔を通過して、頂部当接部材を第１の面に当接させ、前記ハウジングユニットの前記接合部材は、前記プレート本体の前記第２の面に向けられている、
ことを特徴とする請求項１に記載のディスプレイのフレーム装置。
【請求項３】
各結合ユニットの前記穿孔部材は、前記係止空間を囲む周囲壁と、前記周囲壁に設けられ、前記係止空間へ向かって延びる少なくとも１つのストッパブロックとを有し、前記ハウジングユニットの各接合部材は、対応する結合ユニットの係止空間内に延出され、前記ストッパブロックの係止によって位置決めされる、
ことを特徴とする請求項２に記載のディスプレイのフレーム装置。
【請求項４】
各結合ユニットの前記穿孔部材は、前記周囲壁に沿って間隔をあけて長手方向に配列された複数のストッパブロックを有し、各接合部材は、前記筐体から延びる連結ポストと、前記連結ポストの先端に設けられたボスとを有し、各接合部材と各結合ユニットとを突き合わせると、前記ボスは、前記ストッパブロックに押し付けられる、
ことを特徴とする請求項３に記載のディスプレイのフレーム装置。
【請求項５】
各穿孔部材の前記係止空間は、長軸方向を有する長溝状であり、各接合部材のボスは、楕円形状をなしており、前記連結ポストの先端から前記長軸方向に沿って外向きに延びている、
ことを特徴とする請求項４に記載のディスプレイのフレーム装置。
【請求項６】
各結合ユニットの前記穿孔部材は、前記周囲壁の端部から間隔をあけて前記係止空間内に突出する複数のストッパブロックを有し、各接合部材は、前記筐体から延びる連結ポストと、前記連結ポストに間隔をあけて凹設された複数の溝とを有し、各接合部材と各結合ユニットとを突き合わせると、前記ストッパブロックは前記溝に係止される、
ことを特徴とする請求項３に記載のディスプレイのフレーム装置。
【請求項７】
前記穿孔部材の前記ストッパブロックは、前記周囲壁に沿って環状の凸条状に設けられ、各接合部材は、前記筐体から延びる連結ポストと、前記連結ポストの周囲に設けられた凸状リブとを有し、各接合部材と各結合ユニットとを突き合わせると、前記ストッパブロックと前記連結ポストが互いに干渉され、前記凸状リブと前記周囲壁が互いに干渉されるようになっている、
ことを特徴とする請求項３に記載のディスプレイのフレーム装置。
【請求項８】
前記フレームユニットは、各貫通孔の辺縁部から前記プレート本体に沿ってそれぞれ配置された中空の複数の第１の位置決め部材をさらに含み、各結合ユニットは、前記結合ユニットの径方向において前記穿孔部材と前記頂部当接部材との間に配置された少なくとも１つの第２の位置決め部材をさらに含み、各結合ユニットが対応する貫通孔を通過すると、前記第１の位置決め部材は対応する第２の位置決め部材と互いに係止され、前記結合ユニットは前記フレームユニットの前記プレート本体上に位置決めされる、
ことを特徴とする請求項２ないし７のいずれか一項に記載のディスプレイのフレーム装置。
【請求項９】
前記第２の位置決め部材は、前記頂部当接部材から離れた一端が縮径して、テーパ状になっている、
ことを特徴とする請求項８に記載のディスプレイのフレーム装置。
【請求項１０】
各結合ユニットには、前記穿孔部材の外面に少なくとも１つの凸条がさらに設けられ、前記プレート本体は、前記凸条と前記頂部当接部材との間に挟まれている、
ことを特徴とする請求項２ないし９のいずれか一項に記載のディスプレイのフレーム装置。
【考案の詳細な説明】
【技術分野】
【０００１】
本考案は、外枠構造に関し、特に、ディスプレイのフレーム装置に関する。
【背景技術】
【０００２】
表示装置は、ユーザが視聴できるように映像を表示する。一般的に、表示装置は、主に外枠、表示パネル、バックライトモジュール、回路基板、及びリアケース等の構成要素を備えており、表示パネル及びバックライトモジュールは、筐体内に収容され、バックライトモジュールの裏側に設けられた回路基板は、外に露出しないように、リアケースによって遮蔽されている。
従来の表示装置は、そのリアケースの固定方式として以下のいくつかの方式がある。
１.ネジを用いてリアケースをその裏側に取り付けるが、こうすると、ネジがはっきり見えるため、外観はネジを隠す効果がなく、美観に影響する。
２.リアケースは、従来の係止構造で内部の固定具に結合されているが、この方式では、組み立てた後に容易に取り外すことができず、強制的に取り外すと、リアケースの外観が損なわれる。
３.リアケースは、粘着テープで内部の固定具に接着されるが、粘着テープの接着強度が効果的に向上されず、かつリアケースが熱膨張・収縮により変形が生じ、これにより接着度が低下し、リアケースが脱落する可能性がある。
【考案の概要】
【０００３】
そこで、本考案は、上記の問題点を改善することができるディスプレイのフレーム装置を提供することを目的としている。
本考案の表示装置のフレーム装置において、当該ディスプレイは、表示パネルを有し、当該フレーム装置は、表示パネルの後方に位置し、表示パネルを支持しており、当該フレーム装置は、フレームユニット、複数の結合ユニットおよびハウジングユニットを含む。当該フレームユニットは、プレート本体と、当該プレート本体を貫通する複数の貫通孔とを含み、各結合ユニットは、対応する貫通孔を貫通して当該プレート本体上に位置決めされる。当該ハウジングユニットは、筐体と、当該筐体に離間して設けられ、当該プレート本体へ向かう方向に延びる複数の接合部材とを含む。ここで、各結合ユニットは、当該筐体に向けて開口した係止空間を有し、各接合部材は、対応する結合ユニットの開口から係止空間内に延出され、対応する結合ユニットと互いに干渉することで、当該筐体を当該プレート本体に固定させる。
【０００４】
本考案の別の技術的手段において、各結合ユニットは、穿孔部材と、当該穿孔部材の端部から外側に延在する頂部当接部材とを含み、当該フレームユニットの当該プレート本体は、当該表示パネルに面する第１の面と、当該第１の面に対向する第２の面とを有し、当該貫通孔は、当該第１の面と当該第２の面とを貫通しており、各結合ユニットの穿孔部材は、第１の面から対応する貫通孔を通過して、頂部当接部材を第１の面に当接させ、当該ハウジングユニットの当該接合部材は、当該プレート本体の当該第２の面に向けられている。
【０００５】
本考案の別の技術的手段において、各結合ユニットの当該穿孔部材は、当該係止空間を囲む周囲壁と、当該周囲壁に設けられ、当該係止空間へ向かって延びる少なくとも１つのストッパブロックとを有し、当該ハウジングユニットの各接合部材は、対応する結合ユニットの係止空間内に延出され、当該ストッパブロックの係止によって位置決めされる。
【０００６】
本考案の別の技術的手段において、各結合ユニットの当該穿孔部材は、当該周囲壁に沿って間隔をあけて長手方向に配列された複数のストッパブロックを有し、各接合部材は、当該筐体から延びる連結ポストと、当該連結ポストの先端に設けられたボスとを有し、各接合部材と各結合ユニットとを突き合わせると、当該ボスは、当該ストッパブロックに押し付けられる。
本考案の別の技術的手段において、各穿孔部材の当該係止空間は、長軸方向を有する長溝状であり、各接合部材のボスは、楕円形状をなしており、当該連結ポストの先端から当該長軸方向に沿って外向きに延びている。
本考案の別の技術的手段において、各結合ユニットの当該穿孔部材は、当該周囲壁の端部から間隔をあけて当該係止空間内に突出する複数のストッパブロックを有し、各接合部材は、当該筐体から延びる連結ポストと、当該連結ポストに間隔をあけて凹設された複数の溝とを有し、各接合部材と各結合ユニットとを突き合わせると、当該ストッパブロックは当該溝に係止される。
本考案の別の技術的手段において、当該穿孔部材の当該ストッパブロックは、当該周囲壁に沿って環状に凸条状に設けられ、各接合部材は、当該筐体から延びる連結ポストと、当該連結ポストの周囲に設けられた凸状リブとを有し、各接合部材と各結合ユニットとを突き合わせると、当該ストッパブロックと当該連結ポストが互いに干渉し、当該凸状リブと当該周囲壁が互いに干渉する。
本考案の別の技術的手段において、当該フレームユニットは、当該プレート本体において各貫通孔に沿ってそれぞれ配置された複数の第１の位置決め部材をさらに含み、各結合ユニットは、当該穿孔部材と当該頂部当接部材との間に配置された少なくとも１つの第２の位置決め部材をさらに含み、各結合ユニットが対応する貫通孔を通過すると、当該第１の位置決め部材は対応する第２の位置決め部材と互いに係止され、当該結合ユニットは当該フレームユニットの当該プレート本体上に位置決めされる。
本考案の別の技術的手段において、当該第２の位置決め部材は、当該頂部当接部材から離れた一端が縮径して、テーパ状になっている。
本考案の別の技術的手段において、各結合ユニットの当該係止空間は、止まり穴状になっている。
本考案の別の技術的手段において、各結合ユニットの当該係止空間は、貫通状になっている。
本考案の別の技術的手段において、各結合ユニットには、当該穿孔部材の外面に少なくとも１つの凸条がさらに設けられ、当該プレート本体は、当該凸条と当該頂部当接部材との間に挟まれている。
本考案の効果は、当該結合ユニットの構造設計により、当該フレームユニットと当該ハウジングユニットとを係合させることによって互いに結合され、完成品の外観を改善させるだけでなく、組立工数を節約することもできる。
【図面の簡単な説明】
【０００７】
【図１】図１は、本考案のディスプレイのフレーム装置の第１の好ましい実施例を示す分解斜視図である。
【図２】図２は、図１の各要素の詳細な構造を補助的に説明する部分分解斜視図である。
【図３】図３は、図２の結合状態を説明する部分断面図である。
【図４】図４は、本考案のディスプレイのフレーム装置の第２の好ましい実施例を示す部分分解斜視図である。
【図５】図５は、図４の結合状態を説明する部分断面図である。
【図６】図６は、本考案のディスプレイのフレーム装置の第３の好ましい実施例を示す部分分解斜視図である。
【図７】図７は、図６の結合状態を説明する部分断面図である。
【考案を実施するための形態】
【０００８】
本考案の関連する技術内容は、以下の添付の図面を参照して、好ましい実施例の詳細な説明において明確に提示される。詳細な説明をする前に、類似の要素は同じ符号で示されていることに留意されたい。
図１を参照すると、本考案のディスプレイのフレーム装置の第１の好ましい実施例が示されている。ディスプレイは、表示パネルＰを有し、フレーム装置は、表示パネルＰの後方に位置し、表示パネルＰを支持する。フレーム装置は、フレームユニット２と、複数の結合ユニット３と、ハウジングユニット４とを含む。フレームユニット２は、プレート本体２１と、プレート本体２１を貫通する複数の貫通孔２２とを含み、各結合ユニット３は、対応する貫通孔２２を通ってプレート本体２１に位置決めされる。なお、説明の便宜上、図１では、フレーム装置と表示パネルＰとの間に位置する一部の部品、例えばバックライトモジュールの導光板やフィルム等を省略している。本実施例では、フレームユニット２は、バックライトモジュールのリアプレートやヒートシンク等の部品であってもよい。
【０００９】
図２を参照すると、プレート本体２１は、表示パネルＰに面する第１の面２１１と、第１の面２１１に対向する第２の面２１２とを有し、貫通孔２２は、第１の面２１１と第２の面２１２とを貫通する。説明の便宜上、図２〜図７に示す視角は、図１を時計回りに９０度回転させた後拡大した視角である。
各結合ユニット３は、穿孔部材３１と、穿孔部材３１の端部から外側に延在する頂部当接部材３２とを含む。各結合ユニット３の穿孔部材３１は、係止空間３１０を囲む周囲壁３１１と、周囲壁３１１に間隔をあけて設けられ、係止空間３１０に向かって延びる複数のストッパブロック３１２とを有する。係止空間３１０の開口は、ハウジングユニット４に向いている。ストッパブロック３１２は、周囲壁３１１の周囲の間隔に沿って長手方向に沿って配列されている。
【００１０】
ハウジングユニット４は、筐体４１と、筐体４１上に間隔をおいて設けられ、フレームユニット２のプレート本体２１の方向へ延びる複数の接合部材４２とを含む（図２及び図３は視角の関係で１つのみを示しているが、図１は複数を示している）。接合部材４２は、プレート本体２１の第２の面２１２に向いている。より詳細には、各接合部材４２は、筐体４１から延びる連結ポスト４２１と、連結ポスト４２１の先端に設けられたボス４２２とを有している。本実施例では、各穿孔部材３１の係止空間３１０は、長軸方向を有する長溝状であり、各接合部材４２のボス４２２は、略楕円形状であり、連結ポスト４２１の先端から長軸方向に沿って外側に延びている。
【００１１】
次に、図２を引き続き参照して、本実施例の操作手順を説明する。まず、各結合ユニット３の穿孔部材３１をプレート本体２１の対応する貫通孔２２に貫通させ、プレート本体２１の第１の面２１１から第２の面２１２に向かう方向に貫通させて、頂部当接部材３２を第１の面２１１に当接させる。さらに、フレームユニット２は、各貫通孔２２の辺縁部からプレート本体２１に沿ってそれぞれ配置された中空の複数の第１の位置決め部材２３をさらに含み、各結合ユニット３は、結合ユニット３の径方向において穿孔部材３１と頂部当接部材３２との間に位置する複数の第２の位置決め部材３３をさらに含む。各結合ユニット３が対応する貫通孔２２を通過すると、第１の位置決め部材２３は対応する第２の位置決め部材３３と互いに係止され、結合ユニット３はフレームユニット２のプレート本体２１上に位置決められる。本実施例では、第１の位置決め部材２３は、Ｃ型溝であり、第２の位置決め部材３３は、Ｃ型溝に合う形状の凸柱である。各結合ユニット３の頂部当接部材３２が第１の面２１１に当接すると、第１の位置決め部材２３と第２の位置決め部材３３は互いに係止され、各結合ユニット３は脱落することなくプレート本体２１に強固に結合される。特に、第２の位置決め部材３３における頂部当接部材３２から遠い側の端部は、結合ユニット３が対応する貫通孔２２をスムーズに通過できるように、縮径してテーパ状（ｔａｐｅｒ）になっており、第２の位置決め部材３３における頂部当接部材３２に近接する位置でスナップフィットの干渉効果が生じる。もちろん、各結合ユニット３には、各結合ユニット３がプレート本体２１に結合された際に、プレート本体２１が凸条３４と頂部当接部材３２との間に挟まれ、各結合ユニット３がプレート本体２１から容易に分離して脱落しないように、穿孔部材３１の外面の適所に凸条３４が設けられていてもよい。
【００１２】
次に、ハウジングユニット４の各接合部材４２のボス４２２を対応する結合ユニット３の係止空間３１０内に延出させ、図３に示すように、ボス４２２をストッパブロック３１２に押し付けて、互いに干渉して脱落しないようにし、これにより、摩擦力及び安定性が増大し、筐体４１をプレート本体２１に強固に結合させることができる。なお、結合ユニット３はナイロン（Ｎｙｌｏｎ）製であるため、軽量で成形しやすいという特徴を有している。図３に示された斜線部分は、結合中に各結合ユニット３が押されて変形する領域を示している。また、本実施例では、各ボス４２２は楕円形状に形成されているため、ボス４２２がストッパブロック３１２によって押圧される接触面積を大きくすることができ、これによって、結合性を向上させることができる。
【００１３】
図４を参照すると、本考案のディスプレイのフレーム装置の第２の好ましい実施例であり、第１の好ましい実施例とほぼ同様である。異なる点は、本実施例では、各結合ユニット３の穿孔部材３１は、周囲壁３１１の端部から係止空間３１０内に間隔をあけて突出する複数のストッパブロック３１２を有し、各接合部材４２は、筐体４１から延びる連結ポスト４２１と、連結ポスト４２１に間隔をあけて凹設された複数の溝４２３とを有している点である。
【００１４】
本考案のディスプレイのフレーム装置の第２の好ましい実施例の操作モードは、第１の好ましい実施例と同様である。まず、結合ユニット３をそれぞれ対応する貫通孔２２を介してプレート本体２１に結合させる。次に、ハウジングユニット４の各接合部材４２の連結ポスト４２１を対応する結合ユニット３の係止空間３１０内に延出させ、図５に示すように、ストッパブロック３１２を溝４２３内に係合させる。これにより、首部幅が小さく、頭部幅が大きい形態となり、各接合部材４２の連結ポスト４２１が対応する結合ユニット３の係止空間３１０からさらに離脱しにくくなり、結合度が向上する。
【００１５】
図６を参照すると、本考案のディスプレイのフレーム装置の第３の好ましい実施例であり、第１の好ましい実施例とほぼ同様である。異なる点は、本実施例では、各結合ユニット３の穿孔部材３１のストッパブロック３１２は、周囲壁３１１に沿って環状の凸条状に設けられており、各接合部材４２は、筐体４１から延びる連結ポスト４２１と、連結ポスト４２１の周囲に設けられた凸状リブ４２４とを有している点である。
【００１６】
本考案のディスプレイのフレーム装置の第３の好ましい実施例の操作モードは、第１の好ましい実施例と同様である。まず、結合ユニット３をそれぞれ対応する貫通孔２２を介してプレート本体２１に結合させる。次に、各結合ユニット３を各接合部材４２に突き合わせると、図７に示すように、ストッパブロック３１２と連結ポスト４２１が互いに干渉し、かつ凸状リブ４２４と周囲壁３１１が互いに干渉して、二重ループの干渉効果を生み出す。したがって、本来単一ループの干渉効果をより強化することができ、これによって結合度を向上させることができる。特に、図７に示された傾斜部分は、結合中に押されて変形する領域を示している。
【００１７】
また、図７に示すように、本実施例では、各結合ユニット３の係止空間３１０は、止まり穴状をなしている。もちろん、実際に実施される場合には、例えば図３または図５に示すように、各結合ユニット３の係止空間３１０を貫通状にすることもできる。
【００１８】
本考案のディスプレイのフレーム装置は、上記の構造設計により、以下の効果を達成することができる。
１.完成品の外観の最適化：結合ユニット３の構造設計により、螺合素子を使用することなく、フレームユニット２とハウジングユニット４との間を強固に結合させることができる。また、各接合部材４２は、筐体４１上に離間して設けられ、フレームユニット２のプレート本体２１の方向に延在することにより、筐体４１の外観面（すなわち、筐体４１の図１における左側面）には、ネジやネジ穴を設計する必要がないため、完成品の外観にネジが見えないので、完成品の外観を最適化することができる。
２.組立コストの削減：結合ユニット３は、フレームユニット２とハウジングユニット４とをスナップフィット式の結合方式で接続するため、位置合わせが容易であり、組立にかかる時間を効果的に削減することができる。同時に、スナップフィットを利用することによって、ハウジングユニット４が組み立てられた後に再び取り外す可能性も高め、これにより、取り外す際にハウジングユニット４の外観への損傷を回避する。
【００１９】
以上のように、本考案のディスプレイのフレーム装置は、結合ユニット３の構造設計により、フレームユニット２とハウジングユニット４を係合させることによって互いに結合され、完成品の外観を改善させるだけでなく、組立工数を節約することができる。
【００２０】
以上述べたのは本考案の好ましい実施例に過ぎず、本考案の実施範囲は、これにより限定されるべきではない。すなわち、本考案の特許請求の範囲及び本考案の明細書の内容に基づく簡単な等価変更と修正は、本考案の範囲内に属するものとする。
【符号の説明】
【００２１】
２．．．フレームユニット
２１．．．プレート本体
２１１．．．第１の面
２１２．．．第２の面
２２．．．貫通孔
２３．．．第１の位置決め部材
３．．．結合ユニット
３１．．．穿孔部材
３１０．．．係止空間
３１１．．．周囲壁
３１２．．．ストッパブロック
３２．．．頂部当接部材
３３．．．第２の位置決め部材
３４．．．凸条
４．．．ハウジングユニット
４１．．．筐体
４２．．．接合部材
４２１．．．連結ポスト
４２２．．．ボス
４２３．．．溝
４２４．．．凸状リブ
Ｐ．．．表示パネル
【図１】
0003226865.tif 000003
【図２】
0003226865.tif 000004
【図３】
0003226865.tif 000005
【図４】
0003226865.tif 000006
【図５】
0003226865.tif 000007
【図６】
0003226865.tif 000008
【図７】
0003226865.tif 000009